(57)【特許請求の範囲】
【請求項１】
方形の底板と、該底板の外周面より大きな内周面を有する上枠と、底板の外周面と上枠の内周面とを接続して側面部を構成する上下方向の連結部材とにより形成されたネスティング及びスタッキングが可能な運搬用容器において、前記側面部の一部に、前記連結部材を設けない開口部を形成するとともに、該開口部に対応する前記底板の端縁に切欠部を設けたことを特徴とする運搬用容器。
【請求項２】
前記開口部に対応する前記底板の端部上面に、収納物保持用の突起を形成したことを特徴とする請求項１記載の運搬用容器。
【請求項３】
前記開口部に対応する前記上枠の内外方向の厚みを、前記底板の切欠部の大きさの範囲内で肉厚に形成したことを特徴とする請求項１記載の運搬用容器。
【請求項４】
前記開口部に対応する前記上枠の下部に切欠部を形成したことを特徴とする請求項１記載の運搬用容器。
【請求項５】
前記開口部に対応する前記上枠の一部を切欠いて開口させ、開口部両側に対向する縦部材の上下方向中間部に設けた水平方向の支軸によって上下方向に回動可能な一対のアームを相対向して設け、該アームの回動端同士の間に固定桟を設けるとともに、前記アームの長手方向に設けたガイドに両端が移動可能にガイドされる可動桟を設けたことを特徴とする請求項１記載の運搬用容器。
【請求項６】
前記底板に、先端が底板側面から出没可能なスライドバーを設けるとともに、該スライドバーの基部にトグル機構を設け、該トグル機構は、スライドバーの先端が底板側面に没入したときにトグルが閉じて底板上面に突出し、トグルが開いて底板内に押し込まれたときにスライドバーの先端が底板側面から突出するように形成したことを特徴とする請求項１記載の運搬用容器。
【発明の詳細な説明】
【０００１】
【発明の属する技術分野】
本発明は、運搬用容器に関し、特に、各種飲料を充填した紙パック等を所定数収納して運搬する際に用いられるネスティング及びスタッキングが可能な運搬用容器に関する。
【０００２】
【従来の技術】
従来、各種飲料、例えば、牛乳を充填した紙パック（牛乳パック）の運搬には、箱型の合成樹脂製運搬用容器（コンテナ）が多く用いられていたが、この従来の運搬用容器は、返送時の空容器の体積が大きく、輸送効率が悪いという欠点を有していた。このため、運搬用容器を積み重ねる際に、上下の容器の向きを変えることにより、ネスティング及びスタッキングが可能な運搬用容器が用いられるようになってきている。さらに、このようなネスティング及びスタッキングが可能な運搬用容器において、底板と上枠とを柱状の連結部材で連結して箱状に形成し、容器側面から収納物を視認できるようにした構造の運搬用容器も用いられている。
【０００３】
【発明が解決しようとする課題】
しかし、上述のように容器側面から収納物を視認できる運搬用容器であっても、収納物の取出しは、容器上面の開口部からしか行えないため、牛乳パック等を収納した状態のままで陳列販売するのには適していなかった。例えば、運搬用容器を数段積み重ねた場合は、最上段が空になるたびに空容器を取り除かなければならず、棚段に陳列する場合は、紙パック製品を取出すための上部空間を確保しなければならなかった。
【０００４】
このため、図１７及び図１８の概略図に示すように、紙パック製品１を収納した運搬用容器２の開口部３を手前に向けるようにして運搬用容器２を傾けて陳列することも行われている。ところが、このような陳列形態では、紙パック製品１の側面に表示されている商品名等の商品情報の確認ができなくなるという問題があった。
【０００５】
そこで本発明は、ネスティング及びスタッキングが可能で、容器側面からの収納物の確認も行うことができ、しかも、収納した紙パック製品等を容器側面から取出すことができる運搬用容器を提供することを目的としている。
【０００６】
【課題を解決するための手段】
上記目的を達成するため、本発明の運搬用容器は、方形の底板と、該底板の外周面より大きな内周面を有する上枠と、底板の外周面と上枠の内周面とを接続して側面部を構成する上下方向の連結部材とにより形成されたネスティング及びスタッキングが可能な運搬用容器において、前記側面部の一部に、前記連結部材を設けない開口部を形成するとともに、該開口部に対応する前記底板の端縁に切欠部を設けたことを特徴としている。
【０００７】
さらに、本発明の運搬用容器は、前記開口部に対応する前記底板の端部上面に、収納物保持用の突起を形成したこと、前記開口部に対応する前記上枠の内外方向の厚みを、前記底板の切欠部の大きさの範囲内で肉厚に形成したこと、前記開口部に対応する前記上枠の下部に切欠部を形成したことを特徴とし、また、前記開口部に対応する前記上枠の一部を切欠いて開口させ、開口部両側に対向する縦部材の上下方向中間部に設けた水平方向の支軸によって上下方向に回動可能な一対のアームを相対向して設け、該アームの回動端同士の間に固定桟を設けるとともに、前記アームの長手方向に設けたガイドに両端が移動可能にガイドされる可動桟を設けたことを特徴としている。さらに、前記底板に、先端が底板側面から出没可能なスライドバーを設けるとともに、該スライドバーの基部にトグル機構を設け、該トグル機構は、スライドバーの先端が底板側面に没入したときにトグルが閉じて底板上面に突出し、トグルが開いて底板内に押し込まれたときにスライドバーの先端が底板側面から突出するように形成したことを特徴としている。
【０００８】
【発明の実施の形態】
まず、図１乃至図１１は、本発明の運搬用容器の第１形態例を示すもので、図１は斜視図、図２は紙パック製品を収納した状態を示す斜視図、図３はネスティング状態を示す側面図、図４はスタッキング状態を示す側面図、図５は要部の平面図、図６はスライドバーの一形態例を示すもので、トグルが閉じた状態を示す断面正面図、図７は同じくトグルが開いた状態を示す断面正面図、図８はスライドバー先端部の変形例を示す要部の断面正面図、図９はスライドバーの他の形態例を示す断面正面図、図１０及び図１１は陳列時の状態を示す概略図である。
【０００９】
この運搬用容器１０は、１２本の紙パック製品Ｐを収納するためのものであって、方形の底板１１と、該底板１１の外周面より大きな内周面を有する上枠１２と、底板１１の外周面と上枠１２の内周面とを接続して側面部を構成する連結部材１３とにより形成されている。この連結部材１３は、各側面部に略Ｖ字状のものを波状に連続させた状態で設けられており、対向する側面部同士の連結部材１３は、容器中心に対して点対称に形成されている。
【００１０】
したがって、図３に示すように、運搬用容器１０を同じ方向にして積み重ねると、上段の容器の連結部材１３における波形と下段の容器の連結部材１３における波形とが一致し、Ｖ字状部分が上下互いに組み合う状態となり、上枠１２の上下が当接するまで上下の両運搬用容器１０を嵌め込んだ状態、即ちネスティング状態にすることができる。逆に、図４に示すように、上下の運搬用容器１０の向きを１８０度変えると、下段の容器の連結部材１３における逆Ｖ字状部分と、上段の容器の連結部材１３におけるＶ字状部分とが同一位置になるため、逆Ｖ字状部分の頂部１３ａとＶ字状部分の底部１３ｂとが互いに当接して下段の容器の上に上段の容器が載った状態、即ちスタッキング状態にすることができる。なお、図３及び図４では、容器手前側の連結部材のみを図示し、奥側の連結部材の図示は図が繁雑になるために省略した。
【００１１】
そして、このような運搬用容器１０において、容器長手方向の一側面部中央には、前記連結部材１３を設けない開口部１４が形成されている。この開口部１４の幅は、少なくとも収納する紙パック製品Ｐの横幅よりも大きく、例えば図２に示すように、４本並んだ紙パック製品Ｐの中央部２本分の幅寸法よりも若干大きく設定されている。
【００１２】
また、開口部１４に対応する前記底板１１の端部上面には、収納した紙パック製品Ｐが滑り落ちないように保持するための保持用突起１５が設けられるとともに、底板１１の端縁には、紙パック製品Ｐの底部に指を掛けて取り出せる程度の大きさの切欠部１６が設けられている。一方、開口部１４に対応する前記上枠１２の下部には、開口部１４から紙パック製品Ｐを取出し易くするための切欠部１７が設けられており、この切欠部１７を設けた上枠部分には、切欠き形成による強度低下を補うための肉厚部１８が、前記底板１１の切欠部１６の大きさの範囲内で設けられている（図５参照）。
【００１３】
さらに、前記底板１１の内部には、先端が底板側面から出没可能なスライドバー１９が各２本ずつ設けられている。このスライドバー１９は、底板底面部に設けられたガイド溝２０によってスライド可能に保持されており、両側のスライドバー１９は、トグル２１によって連結されている。このトグル２１は、両スライドバー１９の基端部と２本のアーム２１ａとをアーム両端部の連結ピン２１ｂ，２１ｃを介して屈曲可能に連結したものであって、スライドバー連結部の連結ピン２１ｂは、ガイド溝２０の側壁部に設けた長孔２０ａによって移動範囲が規制されている。
【００１４】
また、トグル２１に対応する底板１１の上面には、トグル２１のアーム２１ａが連結ピン２１ｃを中心にして屈曲したときに、屈曲したアーム２１ａが突出する開口２２が設けられており、図６に示すように、スライドバー１９の先端が底板側面に没入してトグル２１が閉じたときに、アーム２１ａの連結ピン２１ｃ部分が底板上面に突出するように形成されている。
【００１５】
トグル２１における両アーム２１ａの長さは、図７に示すように、トグル２１が開いて底板内に押し込まれ、スライドバー１９の先端が底板側面から突出したときに、その突出部分が上枠１２の上面に十分に係止できる長さで、かつ、底板上面への突出量が適当となるような長さに設定されている。
【００１６】
このようなスライドバー１９を設け、スタッキング時にスライドバー１９を底板側面から突出させておくことにより、安定したスタッキング状態を得ることができる。特に、本形態例に示す運搬用容器１０では、開口部１４における底板１１の切欠部１６と上枠１２の肉厚部１８との位置関係から、開口部１４を同じ向きにしたときにネスティング状態、開口部１４を逆方向に向けたときにスタッキング状態となるため、店頭での陳列販売で複数の運搬用容器１０を段積みすると、上下の運搬用容器１０におけるそれぞれの開口部１４が逆方向を向いてしまうため好ましくないが、スライドバー１９を突出させて段積みすることにより、開口部１４を同一向きに揃えることができる。このようにスライドバー１９を使用してスタッキングするにあたり、図８に示すように、上枠１２の上面とスライドバー１９の先端部下面とに、互いに係合する凹凸部２３を形成しておくことにより、更に安定した状態でスタッキングさせることができる。
【００１７】
さらに、スライドバー１９の出没に連動するトグル２１を底板上面に突出するようにしたので、容器内に紙パック製品Ｐを収納するとトグル２１が開口２２内に押し込まれ、自動的にスライドバー１９を突出させることができるので、物品収納時には常にスタッキング可能な状態にすることができ、紙パック製品Ｐ等の収納物の上部に損傷を与えることを防止できる。
【００１８】
また、スライドバー１９を底板内に収納する操作は、トグル２１の連結ピン２１ｃ部分を下方から押圧して閉じるようにしてもよく、連結ピン２１ｂ，２１ｃの位置関係を適当に設定しておけば、スライドバー１９の先端突出部を底板側面部に押し込んでトグル２１を閉じることもできる。さらに、図９に示すように、トグル２１を閉じる方向に付勢するスプリング２４を連結ピン２１ｂ間に設け、かつ、連結ピン２１ｂを下部側に、連結ピン２１ｃを上部側にそれぞれ偏心させて設けることにより、スライドバー１９の出没を、物品の収納・取出しに応じて自動的に行うことができる。
【００１９】
なお、上枠１２に肉厚部１８を設けず、開口部１４を同一向きにしたときにスタッキング、逆に向けたときにネスティングできるように連結部材１３の配置や形状を設定した場合は、上述のようなスライドバー１９を省略できるが、安定したスタッキング状態を得るためにスライドバー１９を設けるようにしてもよい。さらに、上下の運搬用容器１０の向きに関係なくネスティングできるように連結部材１３を形成してスライドバー１９の突出によりスタッキングさせるようにしてもよい。
【００２０】
このように形成した運搬用容器１０は、容器側面から紙パック製品Ｐ等の収納物を取出すことができるので、容器側面から収納物を確認しながら取出すことができ、スタッキング状態の下段の運搬用容器１０からも収納物を取出すことができる。また、保持用突起１５を設けておくことにより、運搬中に収納物が落下することを防止でき、底板１１や上枠１２に切欠部１６，１７を設けておくことにより、紙パック製品Ｐ等の取出し性を向上できる。一方、上枠１２の切欠部１７に対応して肉厚部１８を設けておくことにより、上枠１２の強度低下を防止できる。したがって、図１０及び図１１に示すように、棚段等に陳列する場合に、運搬用容器１０の側面部を手前に向けることができ、商品名等の商品情報を確認しながら品物を取出すことができる。
【００２１】
図１２乃至図１６は、本発明の運搬用容器の第２形態例を示すもので、図１２は斜視図、図１３はスタッキング状態の斜視図、図１４はネスティング状態の斜視図、図１５は要部の斜視図、図１６は紙パック製品収納時の断面側面図である。
【００２２】
この運搬用容器５０は、前記同様の方形の底板５１と、該底板５１の外周面より大きな内周面を有する上枠５２と、底板５１の外周面と上枠５２の内周面とを接続して側面部を構成する柱状の連結部材５３とにより形成されている。この連結部材５３は、運搬用容器５０を同一方向に向けて積層したときに、連結部材５３の上下両端面が当接して図１３に示すスタッキング状態となり、上下の運搬用容器５０の向きを１８０度変えたときに、図１４に示すネスティング状態になるように、その形状や間隔が設定されている。
【００２３】
そして、この運搬用容器５０においても、容器一側面部中央には、連結部材５３を設けない開口部５４が形成されており、この開口部５４には、収納する紙パック製品Ｐ等を保持するための保持部材５５が設けられている。
【００２４】
保持部材５５は、開口部両側に対向する上枠５２の端面の上下方向中間部に設けた水平方向の支軸５６によって上下方向に回動可能な一対のアーム５７と、該アーム５７の回動端に設けられた固定桟５８と、アーム５７の長手方向に設けたガイド溝５９に両端が移動可能にガイドされる可動桟６０とにより形成されている。
【００２５】
固定桟５８は、アーム５７が上方に回動したときに、その上面及び外面が上枠５２と面一になるように形成されており、固定桟５８の両端部（アーム５７の先端側面部）には、上枠５２に設けた嵌合穴６１に嵌合する嵌合突起６２が設けられている。また、可動桟６０は、自重によってガイド溝５９の下部に移動するものであり、アーム５７が上方に回動すると開口部５４の中間部分に位置し、アーム５７が下方に回動すると開口部５４の下方に位置するように形成されている。
【００２６】
このように形成された運搬用容器５０は、紙パック製品Ｐを収納して運搬する際には、図１６に実線で示すように、保持部材５５を上方に回動させておくことにより、固定桟５８及び可動桟６０によって紙パック製品Ｐが倒れて開口部５４から落下することを防止でき、店頭で陳列販売する際には、保持部材５５を下方に回動させることにより、図１６に想像線で示すように、固定桟５８及び可動桟６０が下方に位置した状態になるので、紙パック製品Ｐを開口部５４から容易に取出すことができる。
【００２７】
すなわち、スタッキング状態で陳列販売を行うことができ、前記同様に、紙パック製品Ｐの側面部に表示されている商品名等の商品情報を確認しながら品物を取出すことができる。
【００２８】
なお、前記開口部は、異なる側面にそれぞれ設けることも可能であり、連結部材の形状や配置も、ネスティング及びスタッキングが可能な範囲で任意に形成することができ、１８０度に限らず、平面視正方形状のものならば、９０度の向きの変更でネスティング及びスタッキングを行うようにすることもできる。
【００２９】
【発明の効果】
以上説明したように、本発明の運搬用容器は、容器側面から牛乳パック等の収納物を取出すことができるので、店頭での陳列状態の自由度が増大し、スタッキング状態で陳列販売を行っても、紙パック製品等の側面部に表示されている商品情報を確認しながら品物を取出すことができる。
【図面の簡単な説明】
【図１】本発明の運搬用容器の第１形態例を示す斜視図である。
【図２】紙パック製品を収納した状態を示す斜視図である。
【図３】ネスティング状態を示す側面図である。
【図４】スタッキング状態を示す側面図である。
【図５】要部の平面図である。
【図６】スライドバーのトグルが閉じた状態を示す断面正面図である。
【図７】同じくトグルが開いた状態を示す断面正面図である。
【図８】スライドバー先端部の形状例を示す要部の断面正面図である。
【図９】スライドバーの他の形態例を示す断面正面図である。
【図１０】陳列時の状態を示す概略図である。
【図１１】同じく陳列時の他の状態を示す概略図である。
【図１２】運搬用容器の第２形態例を示す斜視図である。
【図１３】スタッキング状態の斜視図である。
【図１４】ネスティング状態の斜視図である。
【図１５】要部の斜視図である。
【図１６】紙パック製品収納時の断面側面図である。
【図１７】従来の陳列状態を示す概略図である。
【図１８】従来の他の陳列状態を示す概略図である。
【符号の説明】
１０…運搬用容器、１１…底板、１２…上枠、１３…連結部材、１４…開口部、１５…保持用突起、１６，１７…切欠部、１８…肉厚部、１９…スライドバー、２０…ガイド溝、２１…トグル、２２…開口、２３…凹凸部、２４…スプリング、５０…運搬用容器、５１…底板、５２…上枠、５３…連結部材、５４…開口部、５５…保持部材、５６…支軸、５７…アーム、５８…固定桟、５９…ガイド溝、６０…可動桟、６１…嵌合穴、６２…嵌合突起、Ｐ…紙パック製品
【図１】
0003595923.tif 000002
【図２】
0003595923.tif 000003
【図３】
0003595923.tif 000004
【図４】
0003595923.tif 000005
【図５】
0003595923.tif 000006
【図６】
0003595923.tif 000007
【図７】
0003595923.tif 000008
【図８】
0003595923.tif 000009
【図９】
0003595923.tif 000010
【図１０】
0003595923.tif 000011
【図１１】
0003595923.tif 000012
【図１２】
0003595923.tif 000013
【図１３】
0003595923.tif 000014
【図１４】
0003595923.tif 000015
【図１５】
0003595923.tif 000016
【図１６】
0003595923.tif 000017
【図１７】
0003595923.tif 000018
【図１８】
0003595923.tif 000019